(57)【要約】【課題】蓋での洗濯物の挟み込みを検知して水漏れを防止する。【解決手段】開口部３７に対向し水槽３２に設けた衣類を投入する水槽衣類出入口３９と、回転ドラム３０を回転駆動するモータ３４と、開口部３７と水槽衣類出入口３９との間に連結された弾性材からなるパッキング部材６２と、パッキング部材６２と当接し開口部３７を開閉自在に覆う蓋体３８と、モータ３４の駆動電流を検知するモータ電流検知手段６０と、モータ３４を制御して、洗い、すすぎ、脱水の一連の行程を逐次制御する制御手段５１とを備え、制御手段５１は、洗い行程初期の給水行程における回転ドラム３０回転時に、所定の回転数域において所定回数以上モータ３４の電流値が所定電流値を超えた時に、蓋体３８とパッキング部材６２の間に洗濯物が挟み込んだと判定することにより、パッキング部材の外れによる水漏れなどを防止することができる。【選択図】図１
2014004274.tif 000002
【特許請求の範囲】
【請求項１】
前面に開口部を設けた洗濯機筺体と、前記洗濯機筺体内に設けた水槽と、前記開口部に対向し前記水槽に設けた衣類を投入する水槽衣類出入口と、前記水槽内に回転自在に内包した有底円筒状の回転ドラムと、前記回転ドラムを回転駆動するモータと、前記開口部と前記水槽衣類出入口との間に連結された弾性材からなるパッキング部材と、前記パッキング部材と当接し前記開口部を開閉自在に覆う蓋体と、前記モータの駆動電流を検知するモータ電流検知手段と、前記モータを制御して、洗い、すすぎ、脱水の一連の行程を逐次制御する制御手段とを備え、前記制御手段は、洗い行程初期の給水行程における前記回転ドラム回転時に、所定の回転数域において所定回数以上前記モータの電流値が所定電流値を超えた時に、前記蓋体と前記パッキング部材の間に洗濯物が挟み込んだと判定するドラム式洗濯機。
【請求項２】
運転内容を表示する表示手段を備え、前記制御手段は、前記蓋体と前記パッキング部材の間に洗濯物が挟み込んだと判定した時には、前記回転ドラムの回転を停止し、前記表示手段にて異常報知を行う請求項１に記載のドラム式洗濯機。
【発明の詳細な説明】
【技術分野】
【０００１】
本発明は、回転ドラム内に収容した洗濯物を洗濯するドラム式洗濯機に関するものである。
【背景技術】
【０００２】
従来、この種のドラム式洗濯機は、洗いや脱水の際、水槽内に溜められた水が、洗濯機本体内部又は外部に漏れてしまうのを防止するために、回転ドラムの前面開口部に対応する水槽の開口部と本体前面開口部との間に、それらを連結するパッキング部材を設ける構成が提案されている（例えば、特許文献１参照）。
【０００３】
図４は、特許文献１に記載された従来のドラム式洗濯機の縦断面図で、図５は、同ドラム式洗濯機のパッキング部材周辺の要部断面図を示すものである。
【０００４】
図４、図５において、本体１を構成する前面側の部材であるパネル部材７の内部に位置する前面板１３には、回転ドラム４のドラム開口部６と対応して、円形の前面板開口部１４が形成してある。前面板１３は、その前方がパネル部材７で覆われている。
【０００５】
回転ドラム４を内包する水槽５の水槽開口部１５も、衣類投入のための前方開口部８ａを有する開口部材８の内側で、しかも前面板１３の前面板開口部１４と対向する位置にあるもので、これら水槽５の水槽開口部１５と前面板１３の前面板開口部１４との間の間隔はゴムなどの弾性材から作られた環状筒状のパッキング部材１６で密閉されて、同間隔からの本体１内への水の浸入を防止している。
【０００６】
また、閉じた蓋体９の外周がパッキング部材１６のリップ部１６ａの内周面に当たって、これら両者間のシールを行なうようになっており、蓋体９の外周からの水や蒸気の漏れを防止している。
【０００７】
また、パッキング部材１６の水槽５側は、水槽開口部１５の外周部に装着され、ワイヤ２２によって固定されている。パッキング部材１６の前面板１３側には、フランジ部１６ｂが設けられ、そのフランジ部１６ｂは、取付板１７を前面から前面板１３にネジ２１にてネジ止め固定することにより、前面板１３に設けた凹部１３ａと取付板１７に設けた凸部１７ａとによって、挟持固定されている。
【先行技術文献】
【特許文献】
【０００８】
【特許文献１】特開２００５−１４３７９５号公報
【発明の概要】
【発明が解決しようとする課題】
【０００９】
しかしながら、前記従来の構成では、使用者が洗濯物を回転ドラム内に入れて蓋体を閉めた時に、洗濯物の一部を蓋体外周とパッキング部材との間に挟んでしまい、そのまま運転を開始したために、回転ドラムの回転により、洗濯物がパッキン部材を巻きつけるようにして大きな力で回転ドラム内に引張り、パッキング部材が外れてしまうことがあるという課題があった。
【００１０】
本発明は、洗濯物が蓋体とパッキング部材の間に挟まれたまま運転されたとしても、洗濯物の挟み込みを検知して異常報知をし、使用者に洗濯物の挟み込みを解消してもらうこ
とにより、パッキング部材の外れによる水漏れなどを防止するドラム式洗濯機を提供することを目的とする。
【課題を解決するための手段】
【００１１】
前記従来の課題を解決するために、本発明のドラム式洗濯機は、前面に開口部を設けた洗濯機筺体と、前記洗濯機筺体内に設けた水槽と、前記開口部に対向し前記水槽に設けた衣類を投入する水槽衣類出入口と、前記水槽内に回転自在に内包した有底円筒状の回転ドラムと、前記回転ドラムを回転駆動するモータと、前記開口部と前記水槽衣類出入口との間に連結された弾性材からなるパッキング部材と、前記パッキング部材と当接し前記開口部を開閉自在に覆う蓋体と、前記モータの駆動電流を検知するモータ電流検知手段と、前記モータを制御して、洗い、すすぎ、脱水の一連の行程を逐次制御する制御手段とを備え、前記制御手段は、洗い行程初期の給水行程における前記回転ドラム回転時に、所定の回転数域において所定回数以上前記モータの電流値が所定電流値を超えた時に、前記蓋体と前記パッキング部材の間に洗濯物が挟み込んだと判定するものである。
【００１２】
これによって、使用者が誤って洗濯物を蓋体に挟んだまま運転したとしても、洗濯物の巻き込みによるパッキング部材の外れを防止して、水漏れを防止することができる。
【発明の効果】
【００１３】
本発明のドラム式洗濯機は、洗濯物の挟み込みを検知して、洗濯物の巻き込みによるパッキング部材の外れを防止して、水漏れを防止することができる。
【図面の簡単な説明】
【００１４】
【図１】本発明の実施の形態におけるドラム式洗濯機の縦断面図
【図２】同ドラム式洗濯機のブロック回路図
【図３】同ドラム式洗濯機の、経過時間とモータ電流値の関係を示すグラフ図
【図４】従来のドラム式洗濯機の縦断面図
【図５】同ドラム式洗濯機の要部断面図
【発明を実施するための形態】
【００１５】
第１の発明は、前面に開口部を設けた洗濯機筺体と、前記洗濯機筺体内に設けた水槽と、前記開口部に対向し前記水槽に設けた衣類を投入する水槽衣類出入口と、前記水槽内に回転自在に内包した有底円筒状の回転ドラムと、前記回転ドラムを回転駆動するモータと、前記開口部と前記水槽衣類出入口との間に連結された弾性材からなるパッキング部材と、前記パッキング部材と当接し前記開口部を開閉自在に覆う蓋体と、前記モータの駆動電流を検知するモータ電流検知手段と、前記モータを制御して、洗い、すすぎ、脱水の一連の行程を逐次制御する制御手段とを備え、前記制御手段は、洗い行程初期の給水行程における前記回転ドラム回転時に、所定の回転数域において所定回数以上前記モータの電流値が所定電流値を超えた時に、前記蓋体と前記パッキング部材の間に洗濯物が挟み込んだと判定することにより、洗濯物の巻き込みによるパッキング部材の外れを防止して、水漏れを防止することができる。
【００１６】
第２の発明は、特に第１の発明のドラム式洗濯機において、運転内容を表示する表示手段を備え、前記制御手段は、前記蓋体と前記パッキング部材の間に洗濯物が挟み込んだと判定した時には、前記回転ドラムの回転を停止し、前記表示手段にて異常報知を行うことにより、使用者に洗濯物の挟み込みを解消してもらうことができ、パッキング部材の外れによる水漏れなどを防止することができる。
【００１７】
以下、本発明の実施の形態について、図面を参照しながら説明する。また、この実施の形態によって本発明が限定されるものではない。
【００１８】
（実施の形態１）
図１は、本発明の実施の形態におけるドラム式洗濯機の縦断面図である。
【００１９】
図１において、回転ドラム３０は、有底円筒形に形成され、外周部に多数の通水孔３１が全面に設けられて、水槽３２内に回転自在に配設されている。回転ドラム３０の回転中心に傾斜方向に回転軸（回転中心軸）３３が設けられ、回転ドラム３０の軸心方向は正面側から背面側に向けて下向きに傾斜させている。この回転軸３３に、水槽３２の背面側近傍に取り付けたモータ３４が、ベルト５９を介して連結され、モータ３４により回転ドラム３０が正転、逆転方向に回転駆動される。回転ドラム３０の内壁面には、洗濯物を撹拌するための数個の突起板３５が設けられている。
【００２０】
上記の、回転ドラム３０、水槽３２、モータ３４等により、振動系の水槽ユニット６１が構成されている。
【００２１】
水槽３２の正面側で洗濯機筺体３６の上向き傾斜面に設けた開口部３７を蓋体３８により開閉自在に覆い、この蓋体３８を開くことにより、開口部３７、水槽衣類出入口３９および回転ドラム衣類出入口４０を通して回転ドラム３０内に洗濯物を入れ、回転ドラム３０内から洗濯物を取り出せるようにしている。蓋体３８を上向き傾斜面に設けているため、使用者は洗濯物を出し入れする際に、腰を屈める具合を少なくして行うことができる。
【００２２】
また、洗濯機筺体３６の開口部３７と水槽衣類出入口３９との間には、ゴムなどの弾性材からなる略円筒状のパッキング部材６２が連結されており、水が水槽３２から洗濯機筺体３６内へ飛び出すのを防止している。また、パッキング部材６２の蓋体３８側は、蓋体３８を閉めた時に、蓋体３８後面側外周と当接してシールを行なうようになっており、蓋体３８の外周からの水の漏れを防止している。
【００２３】
水槽ユニット６１は、洗濯機筺体３６からばね体４１と防振ダンパー４２により揺動自在に防振支持されており、水槽３２の内底部には、回転軸３３の方向に長い凹状の排水溝４３を設けている。この排水溝４３の底部の背面側寄りには排水口４４を設けており、この排水口４４に排水経路４５の一端を接続し、排水経路４５の他端を排水弁（排水手段）４６に接続して、水槽３２内の洗濯水を排水するようにしている。
【００２４】
また、水槽３２の上部前側には、振動検知手段５８が設けられ、水槽ユニット６１の振動を検知している。
【００２５】
洗濯機筺体３６上部内方に設けられた給水弁（給水手段）４７は、洗剤ケース４８および給水経路４８ａを通して水槽３２内に洗濯水を給水するために、また、水位検知手段４９は、水槽３２内の水位を検知するために設けられている。
【００２６】
制御装置５０は、洗濯機筺体３６上部内方に設けられており、洗濯機筺体３６の前面上部には、操作表示部６３が配置されている。操作表示部６３には、使用者が運転コースや水位などを設定し、運転の開始、停止などをするための入力設定手段５３、およびその設定内容や運転の進行度合いなどを表示する表示手段５４が設けられている。
【００２７】
図２は、本発明の実施の形態におけるドラム式洗濯機のブロック回路図である。
【００２８】
図２において、制御装置５０の制御手段５１は、マイクロコンピュータなどで構成し、商用電源５６から、電源スイッチ５７のＯＮにより電力が供給されて動作を始め、モータ３４の回転数を検知することで回転ドラム３０の回転数を検知する回転数検知手段３４ａ
、モータ３４の駆動電流を検知するモータ電流検知手段６０、水位検知手段４９、振動検知手段５８などの出力を入力し、双方向サイリスタ、リレーなどで構成したパワースイッチング手段５２を介して、モータ３４、排水弁（ＤＶ）４６、給水弁（ＦＶ）４７などの動作を制御し、洗い、すすぎ、脱水の一連の行程を逐次制御する。
【００２９】
また、制御手段５１は、入力設定手段５３にて使用者の入力により設定された内容に基づいて、表示手段５４に設定内容を表示して使用者に知らせる。なお、動作になんらかの異常があった場合も、表示手段５４にて報知する。記憶手段５５は、制御手段５１により制御するのに必要なデータを記憶している。
【００３０】
以上のように構成されたドラム式洗濯機について、以下その動作、作用を説明する。
【００３１】
使用者が、蓋体３８を開いて回転ドラム３０内に洗濯物を投入し、洗剤ケース４８内に所定量の洗剤を投入した後、運転を開始させると、まず、洗い行程を実行する。
【００３２】
洗い行程初期の給水行程において、給水弁４７が動作して洗濯水が給水され、その洗濯水は洗剤ケース４８および給水経路４８ａを通り、洗剤とともに水槽３２内に入る。この時、洗浄性能のばらつきを無くし、効率良く洗浄するために、洗剤を泡立て、満遍なく衣類を濡らす目的で、所定の回転数で一定時間回転ドラムを低速回転させる。
【００３３】
この一定時間の間にモータ３４の駆動電流を検知するモータ電流検知手段６０で、モータ電流をモニターして、モータ３４の電流値が、所定のモータ電流上限値を所定回数以上超えた場合に、制御手段５１は、蓋体３８外周とパッキング部材６２との隙間に洗濯物が挟み込まれていると判定して、回転ドラム３０の回転を停止させ、表示手段５４にて異常報知をする。
【００３４】
図３は、本発明の実施の形態におけるドラム式洗濯機の、経過時間とモータ電流値の関係を表すグラフ図である。
【００３５】
図３において、グラフ（ａ）は、洗濯物の挟み込みが無い正常時のモータ電流値と時間経過を表している。このとき、モータ電流値はほぼ一定の値を示している。
【００３６】
グラフ（ｂ）は、蓋体３８とパッキング部材６２との隙間に洗濯物を挟み込んだ場合のモータ電流値と時間経過を表している。ポイントＡは、蓋体３８とパッキング部材６２との隙間に挟み込まれた洗濯物がねじれ始めている状態で、ポイントＢは、洗濯物がパッキング部材６２を巻き込んでいる状態で、ポイントＣは、パッキング部材６２が外れる直前の状態である。
【００３７】
ここで、モータ電流値は常にモニターされており、閾値を２５０ｍＡとして設定しているために、モータ電流値が閾値を所定の回数以上超えた場合は、制御手段５１により、洗濯物が蓋体３８とパッキング部材６２の隙間に挟み込んだと判定し、回転ドラム３０の回転を停止させ、表示手段５４にて異常報知をして、使用者に洗濯物挟み込みの異常を知らせる。
【００３８】
以上のように、洗い行程初期の給水行程における回転ドラム回転時に、所定の回転数域にて、モータ電流検知手段にて検知したモータの電流値が、所定のモータ電流上限値を所定回数以上超えた時に、蓋体とパッキング部材の隙間に洗濯物が挟み込んだと判定することにより、洗濯物の巻き込みによるパッキング部材の外れを防止して、水漏れを防止することができる。
【００３９】
また、蓋体とパッキング部材の隙間に洗濯物が挟み込んだと判定した時に、回転ドラムの回転を停止させ、表示手段にて異常報知をすることにより、使用者に洗濯物の挟み込みを解消してもらうことができ、パッキング部材の外れによる水漏れなどを防止することができる。
【産業上の利用可能性】
【００４０】
以上のように、本発明にかかるドラム式洗濯機は、洗濯物の挟み込みを検知して異常報知をすることにより、使用者に洗濯物の挟み込みを解消してもらうことができ、パッキング部材の外れによる水漏れなどを防止することができるので、蓋体を有する他の洗濯機等の用途に適用できる。
【符号の説明】
【００４１】
３０  回転ドラム
３２  水槽
３４  モータ
３６  洗濯機筺体
３７  開口部
３８  蓋体
３９  水槽衣類出入口
５１  制御手段
５３  入力設定手段
５４  表示手段
６０  モータ電流検知手段
６２  パッキング部材
６３  操作表示部
【図１】
2014004274.tif 000003
【図２】
2014004274.tif 000004
【図３】
2014004274.tif 000005
【図４】
2014004274.tif 000006
【図５】
2014004274.tif 000007